(57)【特許請求の範囲】
【請求項１】
一方向に離間して配列され、複数のデジタル糸で形成されたデジタルバンドを貫通して固定させ、前記デジタルバンドと電気的に接続された複数のコネクタピンと、
前記デジタルバンド及びコネクタピンを下部で固定させ、下部面を介して前記コネクタピンの一端を露出させる下部ハウジングと、
前記下部ハウジングの上部に結合し、前記デジタルバンド及びコネクタピンを固定させる上部ハウジングと、を含み、
前記下部ハウジング及び前記上部ハウジングの前記デジタルバンドと結合される面には、複数の突起がそれぞれ形成されていることを特徴とするデジタルバンド用コネクタ。
【請求項２】
前記コネクタピンは、前記デジタル糸とそれぞれ対応して連結され、前記デジタル糸の内部に形成された金属部と電気的に接続されることを特徴とする請求項１に記載のデジタルバンド用コネクタ。
【請求項３】
前記コネクタピンは、前記デジタル糸を固定する貫通部と、前記貫通部に連結され、前記下部ハウジングの外部に延長された延長部と、を含むことを特徴とする請求項１に記載のデジタルバンド用コネクタ。
【請求項４】
前記貫通部は、間に前記デジタル糸を挿入して固定させるための二つの垂直な柱を含んで形成されることを特徴とする請求項３に記載のデジタルバンド用コネクタ。
【請求項５】
前記柱の間における距離は、前記デジタル糸の金属部が有する直径よりも短いことを特徴とする請求項４に記載のデジタルバンド用コネクタ。
【請求項６】
前記コネクタピンは、前記下部ハウジングの長さ方向に従って一列に配列されるか、またはジグザグに配列されることを特徴とする請求項１に記載のデジタルバンド用コネクタ。
【請求項７】
前記デジタルバンドは、複数の前記デジタル糸の上部および下部をテープで接着させるか、又は織物を利用して結合させることを特徴とする請求項１に記載のデジタルバンド用コネクタ。
【請求項８】
前記下部ハウジングは、下部に貫通ホールを具備し、前記コネクタピンが前記貫通ホールを貫通して前記下部ハウジングの下部面に露出されるようにすることを特徴とする請求項１に記載のデジタルバンド用コネクタ。
【請求項９】
一方向に離間して配列され、複数のデジタル糸で形成されたデジタルバンドを固定させ、前記デジタルバンドと電気的に接続された複数のコネクタピンと、前記デジタルバンド及びコネクタピンを下部で固定させ、下部面を介して前記コネクタピンの一端を露出させる下部ハウジングと、前記下部ハウジングの上部に結合して前記デジタルバンド及びコネクタピンを固定させる上部ハウジングと、を含み、前記下部ハウジング及び前記上部ハウジングの前記デジタルバンドと結合される面には、複数の突起がそれぞれ形成されているデジタルバンド用コネクタと、
一端が外部回路と電気的に接続され、他端が前記コネクタピンと電気的に接続された複数の導電性パターンと、内部に前記導電性パターンの他端によって貫通された複数の貫通ホールを具備して前記導電性パターンの他端を下部で支持する下部ハウジングと、前記下部ハウジングの上部に結合され、前記下部ハウジングとの間に前記デジタルバンド用コネクタが位置する空間を具備する上部ハウジングと、を含むレセプタクルと、を含むことを特徴とするコネクタ組立体。
【請求項１０】
前記デジタルバンド用コネクタのコネクタピンは、前記デジタル糸とそれぞれ対応して連結され、前記デジタル糸の内部に形成された金属部と電気的に接続されることを特徴とする請求項９に記載のコネクタ組立体。
【請求項１１】
前記デジタルバンド用コネクタは、前記下部ハウジング及び上部ハウジングに結合突起を具備し、前記レセプタクルは前記下部ハウジング及び上部ハウジングに段差を具備し、前記結合突起が前記段差に固定されるようにすることを特徴とする請求項９に記載のコネクタ組立体。
【請求項１２】
前記レセプタクルは、前記段差に沿って形成されたゴムリングを更に含むことを特徴とする請求項１１に記載のコネクタ組立体。
【発明の詳細な説明】
【発明の詳細な説明】
【０００１】
〔技術分野〕
本発明は、デジタルバンド用コネクタ、レセプタクル及びコネクタ組立体に関するもので、更に詳しくは、デジタル糸を利用して形成されたデジタルバンドを外部回路に付着するためのデジタルバンド用コネクタ、レセプタクル及びコネクタ組立体に関するものである。
〔背景技術〕
ユビキタス時代では、いつどこでもリアルタイムでネットワークに接続して情報を交換できることが要求される。従って、人間が着用しているデジタルガーメント（ｄｉｇｉｔａｌ  ｇａｒｍｅｎｔ）が周りのネットワークと接続し、そのような機能を行うようにすることが必要となる。その結果、情報を伝達できるように電子の移動が可能でありながら、織物又は編物が可能で、衣服を作ることができる糸であるデジタル糸（ｄｉｇｉｔａｌ  ｙａｒｎ）が使用される。
【０００２】
従来では、デジタル糸を一本ずつコネクタに連結して使用していた。しかし、このような方式は、デジタル糸をコネクタのピッチ間隔に配列しなければならなく、デジタル糸をいちいちコネクタに連結しなければならなかった。従って、工程時間が長くなり、効率が落ちるようになって単価が上昇するという問題点があった。また、デジタル糸は直径が細いためコネクタと連結しにくく、織物又は編物工程のうちデジタル糸が切断される場合が発生するという問題点があった。
【０００３】
このような問題点を解決するため、デジタル糸を多数束ねて結合させたデジタルバンドが開発された。そして、このようなデジタルバンドは、上述したデジタル糸の問題点を解決する対案となっている。
【０００４】
但し、このようなデジタルバンドを実際の製品に使用するためには、外部の回路とデジタルバンドを互いに電気的に接続させるためのコネクタが必要となる。また、コネクタが容易に結合できるレセプタクルも必要となる。
〔発明の開示〕
〔技術的な課題〕
本発明は、上述した従来の問題点を克服するためのものであり、本発明の目的は、デジタル糸を利用して形成されたデジタルバンドを外部回路に容易に連結するためのデジタルバンド用コネクタ、レセプタクル及びコネクタ組立体を提供することにある。
〔課題の解決〕
上述した目的を達成するために、本発明によるデジタルバンド用コネクタは、一方向に離間して配列され、複数のデジタル糸で形成されたデジタルバンドを貫通して固定させ、前記デジタルバンドと電気的に接続された複数のコネクタピンと、デジタルバンド及びコネクタピンを下部で固定させ、下部面を介してコネクタピンの一端を露出させる下部ハウジングと、下部ハウジングの上部に結合し、デジタルバンド及びコネクタピンを固定させる上部ハウジングと、を含んでいる。
【０００５】
ここで、コネクタピンはデジタル糸とそれぞれ対応して連結され、デジタル糸の内部に形成された金属部と電気的に接続されてもよい。
そして、コネクタピンは、デジタル糸を固定する貫通部に連結されて下部ハウジングの外部に延長された延長部を含んでもよい。
【０００６】
また、貫通部は、間にデジタル糸を挿入して固定させるための二つの垂直な柱を含んでもよい。
また、柱の間における距離は、デジタル糸の金属部が有する直径よりも短くてもよい。
【０００７】
また、コネクタピンは、下部ハウジングの長さ方向（長手方向）に従って一列に配列されるか、又はジグザグに配列されてもよい。
また、デジタルバンドは、複数のデジタル糸の上部および下部をテープで接着させるか、又は織物を利用して結合させたものであってもよい。
【０００８】
また、下部ハウジング又は上部ハウジングのデジタルバンドと結合される面には、少なくとも一つの突起が更に形成されてもよい。
また、下部ハウジングは下部に貫通ホールを具備し、コネクタピンが貫通ホールを貫通して下部ハウジングの下部面に露出されるようにしてもよい。
【０００９】
また、上述した目的を達成するために、本発明の実施の形態によるレセプタクルは、一端が外部回路と接続される複数の導電性パターン、内部に導電性パターンの他端によって貫通された複数の貫通ホールを具備し、導電性パターンの他端を下部で支持する下部ハウジング及び下部ハウジングの上部に結合され、下部ハウジングとの間に空間を具備する上部ハウジングを含み、空間にはデジタルバンドに連結されたデジタルバンド用コネクタが挿入されて導電性パターンと電気的に接続されるようにしてもよい。
【００１０】
ここで、下部ハウジング及び上部ハウジングは、それぞれ段差を具備し、デジタルバンド用コネクタが段差に固定されるようにしてもよい。
そして、下部ハウジング及び上部ハウジングの段差に沿ってゴムリングが更に形成されてもよい。
【００１１】
また、上述した目的を達成するために、本発明の実施の形態によるコネクタ組立体は、一方向に離隔されて配置され、複数のデジタル糸で形成されたデジタルバンドを固定させ、デジタルバンドと電気的に接続された複数のコネクタピンと、デジタルバンド及びコネクタピンを下部で固定させ、下部面を介してコネクタピンの一端を露出させる下部ハウジングと、下部ハウジングの上部に結合し、デジタルバンド及びコネクタピンを固定させる上部ハウジングを含むデジタルバンド用コネクタと、一端が外部回路と電気的に接続され、他端が前記コネクタピンと電気的に接続された複数の導電性パターンと、内部の導電性パターンの他端によって貫通された複数の貫通ホールを具備し、導電性パターンの他端を下部で支持する下部ハウジングと、下部ハウジングの上部に結合され、下部ハウジングとの間にデジタルバンド用コネクタが位置する空間を具備する上部ハウジングを含むレセプタクルと、を含んでもよい。
【００１２】
ここで、デジタルバンド用コネクタのコネクタピンは、デジタル糸とそれぞれ対応して連結され、デジタル糸の内部に形成された金属部と電気的に接続されてもよい。
そして、デジタルバンド用コネクタの上部ハウジング又は下部ハウジングは、デジタルバンドと接する面に少なくとも一つの突起が形成されてもよい。
【００１３】
また、デジタルバンド用コネクタは、下部ハウジング及び上部ハウジングに結合突起を具備し、レセプタクルは下部ハウジング及び上部ハウジングに段差を具備し、結合突起が段差に固定されるようにしてもよい。
【００１４】
また、レセプタクルは、段差に沿って形成されたゴムリングを更に含んでもよい。
〔発明の効果〕
上述したように、本発明によるデジタルバンド用コネクタ、レセプタクル及びコネクタ組立体は、デジタルバンド用コネクタにコネクタピンを具備してデジタルバンドのデジタル糸を固定させながら、デジタル糸と電気的に接続させ、コネクタピンをレセプタクルの外部回路と電気的に接続された導電性パターンに連結されるようにすることで、外部回路とデジタルバンドを容易に電気的に接続させることができる。
【図面の簡単な説明】
【００１５】
【図１】本発明の実施の形態によるデジタルバンド用コネクタを示す断面図である。
【図２】本発明の実施の形態によるデジタルバンド用コネクタを示す分解斜視図である。
【図３】本発明の実施の形態によるデジタルバンド用コネクタに使用されるコネクタピン及び下部ハウジングを示す平面図である。
【図４】本発明の実施の形態によるデジタルバンド用コネクタに使用されるコネクタピンを示す正面図である。
【図５】本発明の実施の形態によるデジタルバンド用コネクタに使用されるコネクタピンを示す側面図である。
【図６】本発明の実施の形態によるレセプタクルを示す断面図である。
【図７】本発明の実施の形態によるデジタルバンド用コネクタとレセプタクルの結合で形成されるコネクタ組立体を示す断面図である。
【発明を実施するための形態】
【００１６】
本発明の属する技術分野における通常の知識を有する者が容易に実施できるよう、本発明の好ましい実施の形態を、図面を参照しながら詳細に説明すると以下の通りである。
以下では、本発明の実施の形態によるデジタルバンド用コネクタ１００の構成を説明する。
【００１７】
図１は、本発明の実施の形態によるデジタルバンド用コネクタ１００を示す断面図である。図２は、本発明の実施の形態によるデジタルバンド用コネクタ１００を示す分解斜視図である。図３は、本発明の実施の形態によるデジタルバンド用コネクタ１００に使用されるコネクタピン１１０及び下部ハウジング１２０を示す図である。図４は、本発明の実施の形態によるデジタルバンド用コネクタ１００に使用されるコネクタピン１１０を示す正面図である。図５は、本発明の実施の形態によるデジタルバンド用コネクタ１００に使用されるコネクタピン１１０を示す側面図である。
【００１８】
図１乃至図５を参照すると、本発明の実施の形態によるデジタルバンド用コネクタ１００は、デジタルバンド１０を固定させるコネクタピン１１０と、前記コネクタピン１１０を下部で支持する下部ハウジング１２０と、前記下部ハウジング１２０の上部に結合される上部ハウジング１３０と、を含む。
【００１９】
まず、本発明の実施の形態によるデジタルバンド用コネクタ１００に使用されるデジタルバンド１０は、複数の金属部１１と、金属部１１をそれぞれ包むコーティング部１２と、前記コーティング部１２を共に束ねる被覆部１３と、を含む。また、前記金属部１１及びコーティング部１２は、デジタルバンド１０を構成するためのデジタル糸を形成する。
【００２０】
前記金属部１１は、電気的な抵抗が少なく、反復的な曲げによる弾性回復力の高い材質で構成される。従って、前記金属部１１は、銅、銅合金、銀、銀合金、黄銅及びその等価物で形成されてもよい。
【００２１】
前記コーティング部１２は、高速通信用に使用できるよう、外部のノイズを遮断する役割を果たす。従って、前記コーティング部１２の材質として、ポリウレタン又はテプロン系の素材を使用してもよい。
【００２２】
前記被覆部１３は、前記コーティング部１２の外部を包みながら形成される。前記被覆部１３は、複数のデジタル糸を共に束ねる役割を果たす。前記被覆部１３は、このためにテープで構成されてもよい。また、前記被覆部１３は、デジタル糸と共に織られる織物で形成されてもよい。
【００２３】
前記コネクタピン１１０は複数個で具備され、一方向に離隔されて配列される。前記コネクタピン１１０は、本発明の実施の形態によるデジタルバンド用コネクタ１００の長さ方向に従ってジグザグに形成されてもよく、一列（図示せず）に形成されてもよい。前記コネクタピン１１０は、前記デジタルバンド１０を貫通するように形成され、前記デジタルバンド１０の位置を固定させる。前記コネクタピン１１０は、前記デジタルバンド１０のデジタル糸をそれぞれ貫通する。即ち、前記下部ハウジング１２０は、前記デジタル糸を成す金属部１１及びコーティング部１２を固定させることで、前記デジタルバンド１０を固定させる。
【００２４】
前記コネクタピン１１０は、前記金属部１１を固定させるための貫通部１１１と、前記貫通部１１１から延長されて形成された延長部１１２と、を含む。
前記貫通部１１は、前記金属部１１の直径の両端を貫通する二つの垂直の柱の形状を有する。即ち、前記貫通部１１１は、前記二つの柱の間に前記金属部１１を挿入することで、前記金属部１１を固定させる。
【００２５】
また、前記貫通部１１１の前記二つの垂直の柱の間における距離ｂは、前記金属部１１の直径ａに比べて短い。これは、デジタルバンド１０が前記金属部１１の外部にコーティング部１２を具備するためであり、前記コーティング部１２を除去することで前記貫通部１１１が前記金属部１１と電気的に接続できるためである。即ち、前記貫通部１１１は、前記二つの垂直の柱で前記コーティング部１２を除去し、前記金属部１１と接することになって電気的に接続される。
【００２６】
前記延長部１１２は、前記貫通部１１１から延長されて形成される。そして、前記延長部１１２は前記貫通部１１１と垂直になりつつ、前記デジタルバンド１０の長さ方向に形成される。また、前記延長部１１２の一部は、前記下部ハウジング１２０の下部面に沿って形成され、外部に露出される。従って、前記延長部１１２を介して前記コネクタピン１１０が露出され、前記レセプタクル２００と電気的に接続されてもよい。
【００２７】
前記下部ハウジング１２０は絶縁材質で形成され、前記上部ハウジング１３０と結合されて内部に前記デジタルバンド１０の端部を包む構造を有する。このため、前記下部ハウジング１２０は、前記デジタルバンド１０の幅方向及び前記コネクタピン１１０の配列方向に沿って長く形成された形状を有する。
【００２８】
前記下部ハウジング１２０は、前記レセプタクル２００に結合される反対側の端部に一定の高さで突出された結合突起１２１を有してもよい。従って、前記結合突起１２１が前記レセプタクル２００にかかるようになり、前記下部ハウジング１２０は前記レセプタクル２００と容易に結合できる。
【００２９】
また、前記下部ハウジング１２０は、前記デジタルバンド１０と接する部分に歯形で形成された複数の突起１２２を具備してもよい。前記突起１２２は、前記下部ハウジング１２０と前記デジタルバンド１０の接触面積を増加させることで、前記デジタルバンド１０が更に堅く固定できるようにする。
【００３０】
また、前記下部ハウジング１２０は、下部面に貫通ホール１２３を具備する。前記貫通ホール１２３は、前記コネクタピン１１０に対応する位置に前記下部ハウジング１２０を貫通しながら形成される。従って、前記貫通ホール１２３を介して前記コネクタピン１１０が前記下部ハウジング１２０の下部面を貫通してもよい。
【００３１】
前記上部ハウジング１３０は、前記下部ハウジング１２０と結合して前記デジタルバンド１０の端部を包むように形成される。前記上部ハウジング１３０は、絶縁材質で形成され、前記下部ハウジング１２０の上部に位置する。
【００３２】
前記上部ハウジング１３０は、前記レセプタクル２００に結合される反対側の端部に一定の高さで突出された結合突起１３１を有してもよい。前記結合突起１３１は、前記下部ハウジング１２０の結合突起１２１と対応され、同じ垂直線上に位置してもよい。また、前記結合突起１３１が前記レセプタクル２００にかかるようになり、前記上部ハウジング１３０は前記レセプタクル２００と結合されてもよい。
【００３３】
また、前記上部ハウジング１３０は、前記デジタルバンド１０と接する面に複数の突起１３２を有してもよい。従って、前記突起１３２がデジタルバンド１０との接触面積を広げることで、前記デジタルバンド１０を堅く固定させる。
【００３４】
上述したように、本発明の実施の形態によるデジタルバンド用コネクタ１００は、デジタルバンド１０のデジタル糸を成す金属部１１をコネクタピン１１０で固定させ、コネクタピン１１０が金属部１１と電気的に接続されるようにする。また、コネクタピン１１０は、下部ハウジング１２０の下部を介して露出される。従って、上述したように、本発明の実施の形態によるデジタルバンド用コネクタ１００は、デジタルバンド１０を固定させることができ、次にレセプタクル２００と容易に結合できるようにして、製品に適用できるようにする。
【００３５】
以下では、本発明の実施の形態によるレセプタクル２００の構成を説明する。
図６は、本発明の実施の形態によるレセプタクル２００を示す断面図である。
図６に示したように、本発明の実施の形態によるレセプタクル２００は、導電性パターン２１０と、前記導電性パターン２１０を包む下部ハウジング２２０と、前記下部ハウジング２２０と結合し、前記デジタルバンド用コネクタ１００が結合される空間を具備する上部ハウジング２３０と、を含む。また、本発明の実施の形態によるレセプタクル２２０の前記下部ハウジング２２０と上部ハウジング２３０は一体に形成されてもよく、前記下部ハウジング２２０及び上部ハウジング２３０の一面に形成されたゴムリング２４０を更に含んでもよい。
【００３６】
前記導電性パターン２１０は、一端が外部回路（図示せず）と連結され、その他端は前記下部ハウジング２２０を下部から上部に貫通して形成される。即ち、前記導電性パターン２１０は、本発明の実施の形態によるデジタルバンド用コネクタ１００のコネクタピン１１０と電気的に接続されてもよい。その結果、前記導電性パターン２１０及びデジタルバンド用コネクタ１００のコネクタピン１１０で形成された電気的経路に従って、前記デジタルバンド１０が外部回路と電気的に接続されてもよい。
【００３７】
前記下部ハウジング２２０は絶縁材質で形成され、前記導電性パターン２１０によって貫通される形状を有する。また、前記下部ハウジング２２０は、前記デジタルバンド用コネクタ１００が結合される端部に段差２２１を有する。従って、前記デジタルバンド用コネクタ１００が前記レセプタクル２００に結合される場合、前記段差２２１は前記デジタルバンド用コネクタ１００に具備された下部ハウジング１２０の結合突起１２１と結合されてもよい。また、前記段差２２１の表面は曲面を具備し、前記ゴムリング２４０が容易に結合できるようにする。
【００３８】
前記上部ハウジング２３０は前記下部ハウジング２２０と結合され、内部に上記デジタルバンド用コネクタ１００が結合できるための空間を具備する。前記上部ハウジング２３０もまた、前記デジタルバンド用コネクタ１００が結合される端部に段差２３１を有する。その結果、前記段差２３１に前記デジタルバンド用コネクタ１００に具備された上部ハウジング１３０の結合突起１３１が結合されてもよい。また、前記段差２３１の表面は曲面を具備し、前記ゴムリング２４０が容易に結合できるようにする。
【００３９】
前記ゴムリング２４０は、前記下部ハウジング２２０の段差２２１及び前記上部ハウジング２３０の段差２３１に沿って形成される。従って、前記ゴムリング２４０は、前記レセプタクル２００が前記デジタルバンド用コネクタ１００と直接的に接することになる前記段差２２１、２３１に形成される。前記ゴムリング２４０を介して前記デジタルバンド用コネクタ１００とレセプタクル２００は密着されて結合できる。従って、前記ゴムリング２４０は、前記デジタルバンド用コネクタ１００とレセプタクル２００の接合面に水分などが浸透することを防止し、製品の安定的な動作を保証することになる。
【００４０】
上述したように、本発明の実施の形態によるレセプタクル２００は、下部ハウジング２２０と上部ハウジング２３０でデジタルバンド用コネクタ１００が結合できるための空間を具備し、ゴムリング２４０を具備して前記デジタルバンド用コネクタ１００が堅く密着されて結合されるようにする。また、本発明の実施の形態によるレセプタクル２００は、導電性パターン２１０を具備してコネクタピン１１０が外部回路と電気的に接続できるようにしてもよい。
【００４１】
以下では、本発明の実施の形態によるコネクタ組立体１０００の構成を説明する。
図７は、本発明の実施の形態によるコネクタ組立体１０００を示す断面図である。
図７を参照すると、本発明の実施の形態によるコネクタ組立体１０００は、前記コネクタ１００とレセプタクル２００が結合することで形成される。
【００４２】
本発明の実施の形態によるコネクタ組立体１０００は、デジタルバンド用コネクタ１００のコネクタピン１１０を具備し、デジタルバンド１０を固定させながら、デジタルバンド１０の金属部１１と電気的に接続されるようにしてもよい。また、コネクタピン１１０は、レセプタクル２００の外部回路と電気的に接続された導電性パターン２１０とも電気的に接続される。従って、本発明の実施の形態によるコネクタ組立体１０００は、前記デジタルバンド１０が外部回路と容易に連結できるようにし、互いに電気的信号を伝達できる経路を提供してもよい。
【符号の説明】
【００４３】
１０：デジタルバンド
１１：金属部
１２：コーティング部
１３：被覆部
１００：デジタルバンド用コネクタ
１１０：コネクタピン
１１１：貫通部
１１２：延長部
１２０：下部ハウジング
１２１：結合突起
１２２：突起
１２３：貫通ホール
１３０：上部ハウジング
１３１：結合突起
１３２：突起
２００：レセプタクル
２１０：導電性パターン
２２０：下部ハウジング
２３０：上部ハウジング
２４０：ゴムリング
【図１】
0005266388.tif 000002
【図２】
0005266388.tif 000003
【図３】
0005266388.tif 000004
【図４】
0005266388.tif 000005
【図５】
0005266388.tif 000006
【図６】
0005266388.tif 000007
【図７】
0005266388.tif 000008